(57)【特許請求の範囲】
【請求項１】
端末またはユーザと一意となる情報を元に、任意の位置情報を一意に秘匿化する位置秘匿化手段と、
前記端末の現在位置情報を取得する現在位置取得手段と、
前記秘匿化した位置情報と前記取得した現在位置とに基づき、秘匿化された現在位置情報を算出する秘匿化位置情報算出手段と、
前記秘匿化された現在位置情報に応じた処理の実行条件と前記秘匿化された位置情報とを関連付けて記憶する実行条件記憶手段と、
前記関連付けされた秘匿化された位置情報と前記秘匿化位置情報算出手段の出力結果とが一致したときに、前記実行条件に基づいて、前記端末内の実行内容を実行する実行手段と、
を備えたことを特徴とする位置情報連携分析装置。
【請求項２】
前記位置秘匿化手段が、前記端末またはユーザと一意となる情報を元に生成される一方向性関数あるいは暗号化により、前記任意の位置情報を一意に秘匿化することを特徴とする請求項１に記載の位置情報連携分析装置。
【請求項３】
前記取得した現在位置情報を一時的に記憶する現在位置記憶手段を備え、
前記秘匿化位置情報算出手段は、前記秘匿化された位置情報を算出した後に、前記取得した現在位置を前記現在位置記憶手段から削除する位置情報削除手段を備えたことを特徴とする請求項１または請求項２に記載の位置情報連携分析装置。
【請求項４】
直近に取得した前記現在位置情報と、最新の現在位置情報とを比較する比較手段を備え、
該比較の結果、一定距離以上の変化があったときに、前記最新の位置情報を秘匿化位置情報算出手段に出力することを特徴とする請求項３に記載の位置情報取得装置。
【請求項５】
前記比較手段の比較の結果、一定距離以上の変化がなかったときには滞在中、一定距離以上の変化があったときには移動中と検知する状態検知手段を備えたことを特徴とする請求項４に記載の位置情報連携分析装置。
【請求項６】
前記位置情報削除手段は、前記状態検知手段による検知後に、前記取得した現在位置を前記現在位置記憶手段から削除することを特徴とする請求項５に記載の位置情報連携分析装置。
【請求項７】
前記秘匿化された位置情報ごとに、該位置情報を取得した日にち、曜日、開始時刻、終了時刻、継続時間、観測される情報を統計的に処理した値を記憶する位置特徴記憶手段を備え、
前記実行手段は、前記位置特徴記憶手段における情報を条件として前記端末内の実行内容を実行することを特徴とする請求項１から請求項６のいずれかに記載の位置情報連携分析装置。
【請求項８】
前記秘匿化された位置情報および、その次に滞在中となった前記秘匿化された位置情報ごとに、同情報が現れた日にち、曜日、開始時刻、終了時刻、継続時間や、あるいは、継続平均時間を統計的に処理した値を記憶する移動特徴記憶手段と、
前記実行手段は、前記移動特徴記憶手段における情報を条件として前記端末内の実行内容を実行することを特徴とする請求項１から請求項６のいずれかに記載の位置情報連携分析装置。
【請求項９】
前記秘匿化位置情報算出手段より得られた、秘匿化された位置情報あるいは／および滞在／移動状態を、通信環境を通してサーバに送信する情報送信手段を備えたことを特徴とする請求項１から請求項８のいずれかに記載の位置情報連携分析装置。
【請求項１０】
位置情報連携分析装置と位置情報分析サーバとからなる位置情報連携分析システムであって、
前記位置情報連携分析装置が、
端末またはユーザと一意となる情報を元に、任意の位置情報を一意に秘匿化する位置秘匿化手段と、
前記端末の現在位置を取得する現在位置取得手段と、
前記秘匿化した位置情報と前記取得した現在位置とに基づき、秘匿化された現在位置情報を算出する秘匿化位置情報算出手段と、
前記秘匿化位置情報算出手段より得られた、秘匿化された位置情報を、端末を利用するユーザを同定する識別子とともに通信環境を通して位置分析サーバに送信する情報送信手段と、
端末内実行内容を受信し、同内容を実施する実行手段と、
を備え、
前記位置情報分析サーバが、
前記情報送信手段より送信された秘匿化された位置情報を、受信する情報受信手段と、
ある端末内実行内容を、前記識別子および前記秘匿化された位置情報に関連付けて記憶する記憶手段と、
前記関連付けされた秘匿化された位置情報が、前記秘匿化位置情報算出手段の出力結果と一致したときに、前記端末内実行内容を送信する送信手段と、
を備えたことを特徴とする位置情報連携分析システム。
【請求項１１】
位置秘匿化手段と現在位置取得手段と秘匿化位置情報算出手段と実行条件記憶手段と実行手段とを備えた位置情報連携分析装置における位置情報連携分析方法であって、
前記位置秘匿化手段が、端末またはユーザと一意となる情報を元に、任意の位置情報を一意に秘匿化する第１のステップと、
前記現在位置取得手段が、前記端末の現在位置情報を取得する第２のステップと、
前記秘匿化位置情報算出手段が、前記位置秘匿化手段により秘匿化された位置情報と前記取得した現在位置とに基づき、秘匿化された現在位置情報を算出する第３のステップと、
前記実行手段が、前記秘匿化された現在位置情報に応じた処理の実行条件と前記秘匿化された位置情報とを関連付けて記憶する実行条件記憶手段に記憶された位置情報と前記秘匿化位置情報算出手段の出力結果とが一致したときに、前記実行条件に基づいて、前記端末内の実行内容を実行する第４のステップと、
を備えたことを特徴とする位置情報連携分析方法。
【請求項１２】
位置秘匿化手段と現在位置取得手段と秘匿化位置情報算出手段と実行条件記憶手段と実行手段とを備えた位置情報連携分析装置における位置情報連携分析方法をコンピュータに実行させるためのプログラムであって、
前記位置秘匿化手段が、端末またはユーザと一意となる情報を元に、任意の位置情報を一意に秘匿化する第１のステップと、
前記現在位置取得手段が、前記端末の現在位置情報を取得する第２のステップと、
前記秘匿化位置情報算出手段が、前記位置秘匿化手段により秘匿化された位置情報と前記取得した現在位置とに基づき、秘匿化された現在位置情報を算出する第３のステップと、
前記実行手段が、前記秘匿化された現在位置情報に応じた処理の実行条件と前記秘匿化された位置情報とを関連付けて記憶する実行条件記憶手段に記憶された位置情報と前記秘匿化位置情報算出手段の出力結果とが一致したときに、前記実行条件に基づいて、前記端末内の実行内容を実行する第４のステップと、
をコンピュータに実行させるためのプログラム。
【発明の詳細な説明】
【技術分野】
【０００１】
本発明は、携帯電話、スマートフォン等の各種位置取得機能を有する端末からのプライバシー保護を目的とした位置情報連携分析装置、位置情報連携分析システム、位置情報分析方法およびプログラムに関する。
【背景技術】
【０００２】
特許文献１や非特許文献１、３など、個人がよく利用する位置情報に基づいて特定の機能・タスクを起動するような技術が存在する。しかし、同技術においては、個人の生の位置情報（緯度経度）を同サービスに提供する必要がある。
【０００３】
上記の状況に対応して、特許文献２では、個人を特定できない形で位置情報に基づくサービスを可能とする方法が提案されている。
【０００４】
また、非特許文献２では、名前、趣味、ＧＰＳ情報といったプライバシー情報を、サービスの信頼度に基づいて、段階的に適切な開示ができる機能をユーザに提供することで、プライバシー情報の管理をユーザ主導でできるような工夫がなされている。同技術では、同情報を信頼レベルに応じた情報提供の出し分け、さらに、情報の抽象化（粒度を広くする）や、かく乱（敢えて数値をずらしたり、他のユーザあるいは代表値と組み替えたりする）、高度な匿名化技術（個人をレコード単位で追えないようにする）などを実施して、ユーザ特定を困難としている。
【先行技術文献】
【特許文献】
【０００５】
【特許文献１】特開２０１３−２５７２９２号公報
【特許文献２】特開２０１３−２２２３０５号公報
【非特許文献】
【０００６】
【非特許文献１】Ｔａｓｋｅｒ−ｇｏｏｇｌｅ  ｐｌａｙ、ｈｔｔｐ：//ｐｌａｙ．ｇｏｏｇｌｅ．ｃｏｍ／ｓｔｏｒｅ/ａｐｐｓ/ｄｅｔａｉｌｓ？ｉｄ＝ｎｅｔ．ｄｉｎｇｌｉｄｃｈｅ．ａｎｄｒｏｉｄ．ｔａｓｋｅｒｍ
【非特許文献２】ドコモ、個人に根ざしたサービスの可能性〜情報大航海プロジェクトより〜ｐ２１〜ｐ２５  ｈｔｔｐ：//ｗｗｗ．ｊｉｐｄｅｃ．ｏｒ．ｊｐ/ｐｒｏｊｅｃｔ/ａｎｓｈｉｎｋａｎ/ｄｏｃ/２０１１０４２５/０３。ｐｄｆ
【非特許文献３】ＩＦＩＴＴＴ−ｈｔｔｐｓ：//ｉｆｔｔｔ．ｃｏｍ/ｗｔｆ
【発明の概要】
【発明が解決しようとする課題】
【０００７】
しかしながら、特許文献２や非特許文献２は、あくまでも個人を特定できない形で情報取得あるいは管理・提供する方法であり、取得される情報自体は実在する具体的な位置である。
【０００８】
つまり、ユーザは位置情報を提供すること自体に不安を覚えるため、保管および提供方法において匿名化されたとしても位置情報取得の許諾を得ることは容易でない。また、データを取得する側にとっても、分析上必ずしも「渋谷」「新宿」といった特定位置を必要としておらず、そのユーザの行動パターン特徴を考慮した情報の提供（例えば、家に帰ったら情報を提供する、等）を目的とする場合においては、前記情報は不要なばかりか、個人の住所を特定できるようなプライバシーに関わる情報を取得し、厳重に管理しなければならないリスクを負う必要が生じてしまう。
【０００９】
そこで、本発明は、上述の課題に鑑みてなされたものであり、場所を秘匿化しつつ、その場所での行動を分析できるよう一意に定義する位置情報連携分析装置、位置情報連携分析システム、位置情報分析方法およびプログラムを提供することを目的とする。
【課題を解決するための手段】
【００１０】
本発明は、上記の課題を解決するために、以下の事項を提案している。
【００１１】
（１）本発明は、端末またはユーザと一意となる情報を元に、任意の位置情報を一意に秘匿化する位置秘匿化手段と、前記端末の現在位置情報を取得する現在位置取得手段と、前記位置秘匿化手段と前記取得した現在位置とに基づき、秘匿化された現在位置情報を算出する秘匿化位置情報算出手段と、前記秘匿化された現在位置情報に応じた処理の実行条件と前記秘匿化された位置情報とを関連付けて記憶する実行条件記憶手段と、前記関連付けされた秘匿化された位置情報と前記秘匿化位置情報算出手段の出力結果とが一致したときに、前記実行条件記憶手段に基づいて、前記端末内の実行内容を実行する実行手段と、を備えたことを特徴とする位置情報連携分析装置を提案している。
【００１２】
（２）本発明は、（１）の位置情報連携分析装置であって、前記位置秘匿化手段が、前記端末またはユーザと一意となる情報を元に生成される一方向性関数あるいは暗号化により、前記任意の位置情報を一意に秘匿化することを特徴とする位置情報連携分析装置を提案している。
【００１３】
（３）本発明は、（１）または（２）の位置情報連携分析装置であって、前記取得した現在位置情報を一時的に記憶する現在位置記憶手段を備え、前記秘匿化位置情報算出手段は、前記秘匿化された位置情報を算出した後に、前記取得した現在位置を前記現在位置記憶手段から削除する位置情報削除手段を備えたことを特徴とする位置情報連携分析装置を提案している。
【００１４】
（４）本発明は、（３）の位置情報連携分析装置であって、直近に取得した前記現在位置情報と、最新の現在位置情報とを比較する比較手段を備え、該比較の結果、一定距離以上の変化があったときに、前記最新の位置情報を秘匿化位置情報算出手段に出力することを特徴とする位置情報連携分析装置を提案している。
【００１５】
（５）本発明は、（４）の位置情報連携分析装置であって、前記比較手段の比較の結果、一定距離以上の変化がなかったときには滞在中、一定距離以上の変化があったときには移動中と検知する状態検知手段を備えたことを特徴とする位置情報連携分析装置を提案している。
【００１６】
（６）本発明は、（３）から（５）の位置情報連携分析装置であって、前記位置情報削除手段は、前記状態検知手段による検知後に、前記取得した現在位置を前記現在位置記憶手段から削除することを特徴とする位置情報連携分析装置を提案している。
【００１７】
（７）本発明は、（１）から（６）の位置情報連携分析装置であって、前記秘匿化された位置情報ごとに、該位置情報を取得した日にち、曜日、開始時刻、終了時刻、継続時間、観測される情報を統計的に処理した値を記憶する位置特徴記憶手段を備え、前記実行手段は、前記位置特徴記憶手段における情報を条件として前記端末内の実行内容を実行することを特徴とする位置情報連携分析装置を提案している。
【００１８】
（８）本発明は、（１）から（６）の位置情報連携分析装置であって、前記秘匿化された位置情報および、その次に滞在中となった前記秘匿化された位置情報ごとに、同情報が現れた日にち、曜日、開始時刻、終了時刻、継続時間などの観測情報や、あるいは、継続平均時間などの観測される情報を統計に処理した値を記憶する移動特徴記憶手段と、前記実行手段は、前記移動特徴記憶手段における情報を条件として前記端末内の実行内容を実行することを特徴とする位置情報連携分析装置を提案している。
【００１９】
（９）本発明は、（１）から（８）の位置情報連携分析装置であって、前記秘匿化位置情報算出手段より得られた、秘匿化された位置情報あるいは／および滞在／移動状態を、通信環境を通してサーバに送信する情報送信手段を備えたことを特徴とする位置情報連携分析装置を提案している。
【００２０】
（１０）本発明は、位置情報連携分析装置と位置情報分析サーバとからなる位置情報連携分析システムであって、前記位置情報連携分析装置が、前記端末において一意となる情報を元に、任意の位置情報を一意に秘匿化する位置秘匿化手段と、前記端末の現在位置を取得する現在位置取得手段と、前記位置秘匿化手段と前記取得した現在位置とに基づき、秘匿化された現在位置情報を算出する秘匿化位置情報算出手段と、前記秘匿化位置情報算出手段より得られた、秘匿化された位置情報を、端末を利用するユーザを同定する識別子とともに通信環境を通して位置分析サーバに送信する情報送信手段と、端末内実行内容を受信し、同内容を実施する実行手段と、を備え、前記位置情報分析サーバが、前記情報送信手段より送信された秘匿化された位置情報を、受信する情報受信手段と、ある端末内実行内容を、前記識別子および前記秘匿化された位置情報に関連付けて記憶する記憶手段と、前記関連付けされた秘匿化された位置情報が、前記秘匿化位置情報算出手段の出力結果とが一致したときに、前記端末内実行内容を送信する送信手段と、を備えたことを特徴とする位置情報連携分析システムを提案している。
【００２１】
（１１）本発明は、位置秘匿化手段と現在位置取得手段と秘匿化位置情報算出手段と実行条件記憶手段と実行手段とを備えた位置情報連携分析装置における位置情報連携分析方法であって、前記位置秘匿化手段が、端末において一意となる情報を元に、任意の位置情報を一意に秘匿化する第１のステップと、前記現在位置取得手段が、前記端末の現在位置情報を取得する第２のステップと、前記秘匿化位置情報算出手段が、前記位置秘匿化手段と前記取得した現在位置とに基づき、秘匿化された現在位置情報を算出する第３のステップと、前記実行手段が、前記秘匿化された現在位置情報に応じた処理の実行条件と前記秘匿化された位置情報とを関連付けて記憶する実行条件記憶手段に記憶された位置情報と前記秘匿化位置情報算出手段の出力結果とが一致したときに、前記実行条件に基づいて、前記端末内の実行内容を実行する第４のステップと、を備えたことを特徴とする位置情報連携分析方法を提案している。
【００２２】
（１２）本発明は、位置秘匿化手段と現在位置取得手段と秘匿化位置情報算出手段と実行条件記憶手段と実行手段とを備えた位置情報連携分析装置における位置情報連携分析方法をコンピュータに実行させるためのプログラムであって、前記位置秘匿化手段が、端末またはユーザと一意となる情報を元に、任意の位置情報を一意に秘匿化する第１のステップと、前記現在位置取得手段が、前記端末の現在位置情報を取得する第２のステップと、前記秘匿化位置情報算出手段が、前記位置秘匿化手段と前記取得した現在位置とに基づき、秘匿化された現在位置情報を算出する第３のステップと、前記実行手段が、前記秘匿化された現在位置情報に応じた処理の実行条件と前記秘匿化された位置情報とを関連付けて記憶する実行条件記憶手段に記憶された位置情報と前記秘匿化位置情報算出手段の出力結果とが一致したときに、前記実行条件に基づいて、前記端末内の実行内容を実行する第４のステップと、をコンピュータに実行させるためのプログラムを提案している。
【発明の効果】
【００２３】
本発明によれば、具体的な位置（緯度経度、住所、地名等）に基づかない、特定不可能な秘匿化位置情報のみを取得、管理することにより、個人のプライバシーにかかわる情報を取得することなく、ユーザの滞在や移動といった生活リズムを予測する情報を取得・管理可能となるという効果がある。また、同秘匿化位置情報は、ユーザあるいはユーザの所有する端末にひもづいた一意な情報を元に基準点が作られるため、同方法の実行位置や時間、その他環境に依らずに、同ユーザが同一の位置に所在する場合を、同一の秘匿化位置情報として取得・管理可能であるため、同滞在位置（あるいは移動中状態）の特徴を分析、および同分析結果を用いた端末機能の実行を行うことが容易となる効果がある。
【図面の簡単な説明】
【００２４】
【図１】本発明の概要を示した図である。
【図２】本発明の第１の実施形態に係る位置情報連携分析装置の構成を示す図である。
【図３】本発明の第１の実施形態に係る位置情報連携分析装置の処理を示す図である。
【図４】本発明の第２の実施形態に係る位置情報連携分析装置の構成を示す図である。
【図５】本発明の第３の実施形態に係る位置情報連携分析システムの構成を示す図である。
【図６】本発明の第４の実施形態に係る位置情報連携分析システムの構成を示す図である。
【発明を実施するための形態】
【００２５】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２６】
本発明は、図１に示すように、端末利用者あるいは端末において一意となる、かつ、他者において利用不可能な情報を元に、位置情報、あるいは、位置情報を示す文字列を暗号化する。例えば、端末の特定情報（例えば、ＩＭＥＩ等）を種とする乱数を生成し、同乱数に基づいて複数の緯度経度を基準点として算出する。そして、前記端末から取得した現在位置と、同基準点との距離を算出し、同距離あるいは同距離をハッシュ化または／および離散化した数値を非特定位置情報として算出して、ある一定の連続時間分の同非特定位置情報を滞在中として抜き出し、同位置の識別子を付与。同識別子において各種位置に基づくサービスを提供する。以下、図２から図５を用いて、本発明の実施形態について説明する。
【００２７】
＜第１の実施形態＞
図２、図３を用いて、本発明の第１の実施形態について説明する。
【００２８】
＜位置情報連携分析装置の構成＞
図２に示すように、本実施形態に係る位置情報連携分析装置は、位置秘匿化部１０１と、現在位置取得部１０２と、秘匿化位置情報算出部１０３と、実行条件記憶部１０４と、実行部１０５と、現在位置記憶部１０６と、位置情報削除部１０７と、位置特徴記憶部１０８とから構成されている。
【００２９】
位置秘匿化部１０１は、端末またはユーザと一意となる情報を元に、任意の位置情報を一意に秘匿化する。具体的には、端末ＩＤ（ＩＭＥＩなど）あるいはａｕＩＤその他ウェブ上のＩＤあるいはユーザが記憶／保有するパスフレーズ、秘密鍵等、個人あるいは個人の端末にひもづく情報を乱数のシードとして、乱数をいくつか発生させる。例えば、同乱数を０~１の数値とすると、(乱数×１８０−９０) とすれば緯度情報、(乱数×３６０−１８０)とすれば、経度の数値に変換できる。
【００３０】
前記方法により、３つの位置情報を基準点として作成し、これを秘匿化手段に利用する。ただし、３つの位置情報は、いずれも一致しない、ひとつの直線上でないように作成するため、条件を満たさない場合は次の乱数を元に作成する等の実装を行う等の工夫をする。
【００３１】
なお、位置秘匿化部１０１によって作成された出力は、同一の位置入力に対しては同一の出力値が得られ、かつ、元の位置情報を推測することが困難である。
【００３２】
現在位置取得部１０２は、端末の現在位置情報を取得する。具体的には、端末のGPS取得機能あるいは端末外からの位置情報（例えば、現在捕捉している基地局の位置情報等）を元に、端末は位置情報を取得する。
【００３３】
秘匿化位置情報算出部１０３は、秘匿化した位置情報と取得した現在位置とに基づき、秘匿化された現在位置情報を算出する。具体的には、取得した位置情報、および、位置秘匿化部１０１により、位置の秘匿化を行う。つまり、前記３つの位置情報と取得位置との距離計算により、３つの距離情報を算出する。
【００３４】
同距離情報そのもの、あるいは、ハッシュ化したあるいは／および丸め実施した値を記録し、端末あるいはサーバに送信、蓄積する。例えば、小数点５桁目までを取得したり、小数点２桁目を四捨五入したりすることなどが考えられる。
【００３５】
その他に、位置情報に前記個人あるいは個人の端末にひもづく情報付与した文書を暗号学的ハッシュ関数（ｃｒｙｐｔｏｇｒａｐｈｉｃ  ｈａｓｈ  ｆｕｎｃｔｉｏｎ）を用いて不可逆変換な文字列を得る（暗号化する）と、その出力でそれぞれの位置情報の関係性（位置ＡはＢから東にＸｍ、南にＹｍの位置にある、等）がより不明確となり、位置関係からの類推ができなくなり望ましい。
【００３６】
また、同秘匿化においては、前回位置からの変化が閾値以内であれば今回位置は前回と同一の箇所に滞在していると（端末内で判断）して出力しない、あるいは、前回と同一の秘匿化位置情報を保持して、要求に返却することも望ましい。
【００３７】
実行条件記憶部１０４は、秘匿化された現在位置情報に応じた処理の実行条件と秘匿化された位置情報とを関連付けて記憶する。実行部１０５は、関連付けされた秘匿化された位置情報と秘匿化位置情報算出部１０３の出力結果とが一致したときに、実行条件に基づいて、端末内の実行内容を実行する。
【００３８】
現在位置記憶部１０６は、取得した現在位置情報を一時的に記憶する。位置情報削除部１０７は、秘匿化位置情報算出部１０３により、秘匿化された位置情報を算出した後に、取得した現在位置を現在位置記憶部１０６から削除する。具体的には、秘匿化された位置を算出後は、不要となった生の位置情報を削除する。また、生の位置情報自体は送信できない機能を端末が有することも、プライバシー保護の観点で望ましい。位置特徴記憶部１０８は、秘匿化された位置情報ごとに、その位置情報を取得した日にち、曜日、開始時刻、終了時刻、継続時間、観測される情報を統計的に処理した値を記憶する。このとき、実行部１０５は、位置特徴記憶部１０８における情報を条件として端末内の実行内容を実行する。
【００３９】
＜位置情報連携分析装置の処理＞
図３に示すように、位置秘匿化部１０１は、端末またはユーザと一意となる情報を元に、任意の位置情報を一意に秘匿化する（ステップＳ１１０）。現在位置取得部１０２は、端末の現在位置情報を取得する（ステップＳ１２０）。
【００４０】
秘匿化位置情報算出部１０３は、位置秘匿化部１０１が秘匿化した位置情報と取得した現在位置とに基づき、秘匿化された現在位置情報を算出する（ステップＳ１３０）。
【００４１】
実行部１０５は、秘匿化された現在位置情報に応じた処理の実行条件と秘匿化された位置情報とを関連付けて記憶する実行条件記憶部１０４に記憶された位置情報と秘匿化位置情報算出部１０３の出力結果とが一致したときに、実行条件に基づいて、端末内の実行内容を実行する（ステップＳ１４０）。
【００４２】
＜秘匿位置情報の利用＞
例えば、同位置に侵入した際に特定動作を行うような実行命令等に利用できるよう、「位置情報の送信」において秘匿化された位置とともにコマンドの指定情報を送ることで、同サーバにおいて同秘匿化された位置と共に指定コマンドを実行する、というようなサービスなどが考えられる。サーバに送信された秘匿化された位置を、何らかのＩＤ（例えば送信された順番に連番）を付与し、管理・保存することも望ましい。
【００４３】
また、同位置に到着する時刻の分布や同位置の平均滞在時間、その次に滞在する位置の確率などを蓄積、分析して、例えば「よくいる場所についたらＷｉ-ＦｉをＯＮにする」「次に滞在しそうな位置への移動経路案内サービスを実行する」等の実行命令を自動的に作成するような応用も考えられる。
【００４４】
また、位置以外にも、位置と位置の間、つまり、移動中に判定された区間においては、直近の滞在位置および次の滞在位置に関連付けられた移動中状態を別途管理することも望ましい。例えば、位置ＩＤ１から位置ＩＤ２への移動中は移動ＩＤ１⇒ＩＤ２などと識別子を与えて、同移動中となる時刻の分布や平均移動時間、などの分析項目を管理する。
これにより、事前に特定位置につくまでの時間を推測した実行命令を定義する、ということも考えられる。
【００４５】
以上、説明したように、本実施形態によれば、具体的な位置（緯度経度、住所、地名等）に基づかない秘匿化位置情報のみを取得、管理することにより、個人のプライバシーにかかわる情報を取得することなく、ユーザの滞在や移動といった生活リズムを予測する情報を取得・管理可能となる。
【００４６】
＜第２の実施形態＞
図４を用いて、本発明の第２の実施形態について説明する。
【００４７】
＜位置情報連携分析装置の構成＞
図４に示すように、本実施形態に係る位置情報連携分析装置は、位置秘匿化部１０１と、現在位置取得部１０２と、秘匿化位置情報算出部１０３と、実行条件記憶部１０４と、実行部１０５と、現在位置記憶部１０６と、位置情報削除部１０７と、位置特徴記憶部１０８と、比較部１０９と、前回位置記憶部１１０と、移動特徴記憶部１１１とから構成されている。なお、第１の実施形態と同一の符号を付す構成要素については、同様の機能を有することからその詳細な説明は省略する。
【００４８】
比較部１０９は、直近に取得した現在位置情報と、最新の現在位置情報とを比較し、比較の結果、一定距離以上の変化があったときに、最新の位置情報を秘匿化位置情報算出部１０３に出力する。また、比較の結果、一定距離以上の変化がなかったときには滞在中、一定距離以上の変化があったときには移動中と検知する。さらに、位置情報削除部１０７は、検知後に、取得した現在位置を現在位置記憶部１０６から削除する。前回位置記憶部１１０は、直近に取得した現在位置情報を記憶する。
【００４９】
したがって、本実施形態によれば、記憶容量負荷を軽減しつつ、具体的な位置（緯度経度、住所、地名等）に基づかない非特定位置情報のみを取得、管理することにより、個人のプライバシーにかかわる情報を取得することなく、ユーザの滞在や移動といった生活リズムを予測する情報を取得・管理可能となる。
【００５０】
＜第３の実施形態＞
図５を用いて、本発明の第３の実施形態について説明する。なお、本実施形態は、分析サーバを備えたシステム構成となっている。
【００５１】
＜位置情報連携分析システムの構成＞
図５に示すように、本実施形態に係る位置情報連携分析システムは、位置情報連携分析装置１００と位置情報分析サーバ２００とから構成され、位置情報連携分析装置１００は、位置秘匿化部１０１と、現在位置取得部１０２と、秘匿化位置情報算出部１０３と、実行部１０５と、現在位置記憶部１０６と、位置情報削除部１０７と、比較部１０９と、前回位置記憶部１１０と、情報送信部１１２とから構成され、位置情報分析サーバ２００は、送受信部２０１と、実行条件記憶部１０４とから構成されている。なお、第１の実施形態あるいは第２の実施形態と同一の符号を付す構成要素については、同様の機能を有することからその詳細な説明は省略する。
【００５２】
送受信部２０１は、位置情報連携分析装置１００から秘匿化された位置情報を受信するとともに、実行条件を送信する。
【００５３】
したがって、本実施形態によれば、記憶容量負荷を軽減しつつ、具体的な位置（緯度経度、住所、地名等）に基づかない非特定位置情報のみを取得、管理することにより、個人のプライバシーにかかわる情報を取得することなく、ユーザの滞在や移動といった生活リズムを予測する情報を取得・管理可能となる。
【００５４】
＜第４の実施形態＞
図６を用いて、本発明の第４の実施形態について説明する。なお、本実施形態は、分析サーバを備えたシステム構成となっている。
【００５５】
＜位置情報連携分析システムの構成＞
図６に示すように、本実施形態に係る位置情報連携分析システムは、位置情報連携分析装置１００と位置情報分析サーバ２００とから構成され、位置情報連携分析装置１００は、位置秘匿化部１０１と、現在位置取得部１０２と、秘匿化位置情報算出部１０３と、実行部１０５と、現在位置記憶部１０６と、位置情報削除部１０７と、比較部１０９と、前回位置記憶部１１０と、情報送信部１１２とから構成され、位置情報分析サーバ２００は、送受信部２０１と、実行条件記憶部１０４と、位置特徴記憶部１０８と、移動特徴記憶部１１１とから構成されている。なお、第１の実施形態あるいは第２の実施形態あるいは第３の実施形態と同一の符号を付す構成要素については、同様の機能を有することからその詳細な説明は省略する。
【００５６】
したがって、本実施形態によれば、記憶容量負荷を軽減しつつ、具体的な位置（緯度経度、住所、地名等）に基づかない非特定位置情報のみを取得、管理することにより、個人のプライバシーにかかわる情報を取得することなく、ユーザの滞在や移動といった生活リズムを予測する情報を取得・管理可能となる。
【００５７】
なお、位置情報連携分析装置、位置情報連携分析システムの処理をコンピュータシステムが読み取り可能な記録媒体に記録し、この記録媒体に記録されたプログラムを位置情報連携分析装置、位置情報連携分析システムに読み込ませ、実行することによって本発明の位置情報連携分析装置、位置情報連携分析システムを実現することができる。ここでいうコンピュータシステムとは、ＯＳや周辺装置等のハードウェアを含む。
【００５８】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００５９】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００６０】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６１】
１００；位置情報連携分析装置
１０１；位置秘匿化部
１０２；現在位置取得部
１０３；秘匿化位置情報算出部
１０４；実行条件記憶部
１０５；実行部
１０６；現在位置記憶部
１０７；位置情報削除部
１０８；位置特徴記憶部
１０９；比較部
１１０；前回位置記憶部
１１１；移動特徴記憶部
１１２；情報送信部
２００；位置情報分析サーバ
２０１；送受信部
【図１】
0006329026.tif 000002
【図２】
0006329026.tif 000003
【図３】
0006329026.tif 000004
【図４】
0006329026.tif 000005
【図５】
0006329026.tif 000006
【図６】
0006329026.tif 000007